(57)【要約】【課題】本発明の課題は、太陽電池と集熱パネルと冷却のためのエア流通路を一体形成したハイブリッドソーラーシステムの暖められたエア流通路のエアの上昇気流により、設置室内のエアを直接誘引することで夏場の室内換気を有効にする構造体を提供することである。【解決手段】本発明にかかる太陽電池・集熱パネルハイブリッドソーラーシステムの換気誘引構造体は、システムのエア流通路の上部口又は下部口が、設置施設内の空間との開口と近接、又は接続して構成される。【選択図】図１
2016003460.tif 000002
【特許請求の範囲】
【請求項１】
太陽電池、集熱パネル、縦方向に設けたエア流通路を一体に構成した太陽電池・集熱パネルハイブリッドソーラーシステムにおいて、エア流通路の開口部の一方が下部口、他方が上部口になるように傾けて施設の屋根面に設置された場合に、前記上部口又は前記下部口において、前記施設内の空間との開口と近接、又は接続して構成することで、前記エア流通路内のエアが太陽熱により温められて前記下部口から前記上部口方向に流れる際に、このエアの流れにより誘引されて前記施設内空間からもエアが排気されることを特徴とする太陽電池・集熱パネルハイブリッドソーラーシステムの換気誘引構造体。
【請求項２】
前記上部口又は前記下部口と前記開口との間に前記誘引を効果的に補助するガイドカバーを備えたことを特徴とする請求項１記載の太陽電池・集熱パネルハイブリッドソーラーシステムの換気誘引構造体。
【発明の詳細な説明】
【技術分野】
【０００１】
本発明は、太陽電池と集熱パネルと冷却のためのエア流通路を一体形成したハイブリッドソーラーシステムによる設置施設の換気のための誘引構造体に関するものである。
に関するものである。
【背景技術】
【０００２】
従来、太陽電池と集熱パネルと冷却のためのエア流通路を一体形成したハイブリッドソーラーシステムについては、多数の提案があり、例えば、特許文献１、特許文献２に見ることができ、図３に示すようなものである。３−Ａには、特許文献１、３−Ｂには、特許文献２のものが示されているが、いずれも、ハイブリッドソーラーシステムでエア流通路があるものが示されている。これらの文献には、この温められたエアを室内に導く例も示されているが、エア流通路の暖められたエアの上昇気流による設置室内のエアを直接誘引することによる換気を意図したものは見当たらない。
【先行技術文献】
【特許文献】
【０００３】
【特許文献１】特開平７−２５３２４９
【特許文献２】特開２０１１−８４９１９
【発明の概要】
【発明が解決しようとする課題】
【０００４】
本発明の課題は、太陽電池と集熱パネルと冷却のためのエア流通路を一体形成したハイブリッドソーラーシステムの暖められたエア流通路のエアの上昇気流により、設置室内のエアを直接誘引することで夏場の室内換気を有効にする構造体を提供することである。
【課題を解決するための手段】
【０００５】
本発明にかかる太陽電池・集熱パネルハイブリッドソーラーシステムの換気誘引構造体は、
太陽電池・集熱パネルハイブリッドソーラーシステムのエア流通路の上部口又は下部口が、設置施設内の空間との開口と近接、又は接続して構成される。
以下、請求項に沿って記述する。
【０００６】
請求項１記載の発明は、太陽電池・集熱パネルハイブリッドソーラーシステムの換気誘引構造体であって、
太陽電池、集熱パネル、縦方向に設けたエア流通路を一体に構成した太陽電池・集熱パネルハイブリッドソーラーシステムにおいて、エア流通路の開口部の一方が下部口、他方が上部口になるように傾けて施設の屋根面に設置された場合に、前記上部口又は前記下部口において、前記施設内の空間との開口と近接、又は接続して構成することで、
前記エア流通路内のエアが太陽熱により温められて前記下部口から前記上部口方向に流れる際に、このエアの流れにより誘引されて前記施設内空間からもエアが排気されることを特徴とする。
【０００７】
請求項２記載の発明は、請求項１記載の太陽電池・集熱パネルハイブリッドソーラーシステムの換気誘引構造体において、
前記上部口又は前記下部口と前記開口との間に前記誘引を効果的に補助するガイドカバーを備えたことを特徴とする。
【発明の効果】
【０００８】
以上の様に構成されているので、太陽電池・集熱パネルハイブリッドソーラーシステムの換気誘引構造体では、エアの流れにより誘引されて前記施設内空間からもエアが排気されるので、夏場の冷房効果が改善される。
【図面の簡単な説明】
【０００９】
【図１】本発明の太陽電池・集熱パネルハイブリッドソーラーシステムの換気誘引構造体の一実施態様を示す図である。
【図２】本発明の太陽電池・集熱パネルハイブリッドソーラーシステムの換気誘引構造体の別の実施態様を示す図である。
【図３】太陽電池・集熱パネルハイブリッドソーラーシステムの従来の実施態様を示す図である。
【発明を実施するための形態】
【００１０】
本発明による太陽電池・集熱パネルルハイブリッドソーラーシステムの換気誘引構造体は、太陽電池・集熱パネルハイブリッドソーラーシステムのエア流通路の上部口又は下部口が、設置施設内の空間との開口と近接、又は接続して構成される。
以下図に沿って説明する。
【００１１】
図１は、本発明の太陽電池・集熱パネルハイブリッドソーラーシステムの換気誘引構造体の一実施態様を示す図である。
１−Ｂには、一体構成の太陽電池・集熱パネルハイブリッドソーラーシステムを示す。縦断面で示されている。太陽電池１１０の下に集熱パネル１２０があり、集熱のための液体が循環するパイプ１２１が収容されている。その下には、エアが流通するエア流通路１３０が配されている。尚、エア流通路１３０は、太陽電池１１０の上側や、太陽電池１１０と集熱パネル１２０の間にも配置することが可能である。
太陽光は、太陽電池１１０で発電し、これを通過した太陽光エネルギーは、光又は熱の形態であれ、集熱パネルにおいて、熱の形態で集熱される。集熱回収されなかった太陽熱は、エア流通路１３０のエアを温めて、エアは傾けて設置されたエア流通路１３０内を移動する。
１−Ｃでは、エア流通路１３０が一番上の太陽電池１１０の上に配置された例であり、配置には自由度がある。
例えば、１−Ｂのものを工場等ののこぎり屋根に設置した場合を１−Ａに示す。
温められたエアは上昇気流になるので、エア流通路１３０の下部口１３１から入ったエアは上に抜ける。この例では、エア流通路１３０の上部口１３２は、工場の三角屋根の下の室内空間との開口１４０と繋がっているので、エア流通路１３０において、エアが移動すると、誘引されて室内空間からもエアが排気され、夏場の過熱したエアが排気されて冷房に寄与する。尚、エアが効果的誘引されるように空間を限定するガイドカバー１５０を備えると効果的である。
勿論、エアを有効に排気するには、室内にエアを入れることも必要である。
【００１２】
図２は、本発明の太陽電池・集熱パネルハイブリッドソーラーシステムの換気誘引構造体の別の実施態様を示す図である。
図１との差をいえば、エア流通路１３０の下部口１３１で工場の三角屋根の下の室内空間との開口１４０と繋がっていることである。図１と同様に、エアが移動すると、誘引されて室内空間からもエアが排気され、夏場の過熱したエアが排気されて冷房の省エネルギーに寄与する。
【００１３】
これらの応用は、１−Ｃのものにおいても同様である。
【産業上の利用可能性】
【００１４】
以上のように本発明による本発明の太陽電池・集熱パネルハイブリッドソーラーシステムの換気誘引構造体では、エア流通路のエアが移動すると、設置した施設の屋根の下の室内空間からエアを誘引するので、夏場の過熱したエアが排気されて冷房の省エネルギーに寄与するので、産業上利用して極めて好都合である。
【符号の説明】
【００１５】
１１０  太陽電池
１２０  集熱パネル
１２１  パイプ
１３０  エア流通路
１３１  下部口
１３２  上部口
１４０  開口
１５０  ガイドカバー
【図１】
2016003460.tif 000003
【図２】
2016003460.tif 000004
【図３】
2016003460.tif 000005